(57)【要約】  本発明は、閉鎖機構を収容するためのケーシングを備えたフロアスプリングであって、ケーシングがケーシングカバー（１ａ）によって被覆されており、該ケーシングカバーがドア等を支持する閉鎖機構の軸を支承する形式のものに関する。フラットな構成にもかかわらず問題の無い作動を保証するフロアスプリングを提供するために、本発明では、ケーシングカバー（１ａ）が少なくとも１つの縁部域に補強ショルダ（２，３）を有していることを提案する。
2007503536.tif 000002
【特許請求の範囲】
【請求項１】
閉鎖機構を収容するためのケーシングを備えたフロアスプリングであって、ケーシングがケーシングカバーによって被覆されており、該ケーシングカバーがドア等を支持する閉鎖機構の軸を支承する形式のものにおいて、
ケーシングカバー（１ａ）が少なくとも１つの縁部域に補強ショルダ（２，３）を有していることを特徴とする、フロアスプリング。
【請求項２】
補強ショルダ（２）がケーシングカバー（１ａ）の一方の端面に設けられており且つ該端面と整合している、請求項１記載のフロアスプリング。
【請求項３】
端面に設けられた補強ショルダ（２）が、ケーシングカバー（１ａ）の長手方向中心軸線（Ｌ）に対して真ん中に配置されている、請求項１又は２記載のフロアスプリング。
【請求項４】
対向位置する２つの横方向側面に別の２つの補強ショルダ（３）が設けられている、請求項１から３までのいずれか１項記載のフロアスプリング。
【請求項５】
ケーシングカバー（１ａ）の横方向中心軸線（Ｑ）が、横方向側面に設けられた補強ショルダ（３）を通っている、請求項１から４までのいずれか１項記載のフロアスプリング。
【請求項６】
横方向側面に設けられた補強ショルダ（３）が、ケーシングカバー（１ａ）の側方に突出した突出部（４）に設けられている、請求項１から５までのいずれか１項記載のフロアスプリング。
【請求項７】
突出部（４）の長さと補強ショルダ（３）の長さが同一である、請求項１から６までのいずれか１項記載のフロアスプリング。
【請求項８】
端面に設けられた補強ショルダ（２）が直線的な延在部を有している、請求項１から７までのいずれか１項記載のフロアスプリング。
【請求項９】
横方向側面に設けられた補強ショルダ（３）が非直線的な延在部を有しており、特に屈曲部を備えているか又は湾曲されている、請求項１から８までのいずれか１項記載のフロアスプリング。
【請求項１０】
全ての補強ショルダ（２，３）がケーシングカバー（１ａ）の組込み状態においてケーシングに突入する、請求項１から９までのいずれか１項記載のフロアスプリング。
【発明の詳細な説明】
【技術分野】
【０００１】
本発明は、閉鎖機構を収容するためのケーシングを備えたフロアスプリングであって、ケーシングがケーシングカバーによって被覆されており、該ケーシングカバーがドア等を支持する閉鎖機構の軸を支承する形式のものに関する。
【０００２】
このような形式のフロアスプリングは以前から公知であり、内部にドア閉鎖装置の本来の閉鎖機構が収納されたケーシングを有している。このケーシングからは、操作しようとするドア等を支承する１本の軸が外側に向かって延びている。ケーシングはケーシングカバーによって閉鎖可能であり、ケーシングカバーは有利にはねじを介して、前記軸を支承するケーシングと結合可能である。このようなケーシングカバーは、例えばドイツ連邦共和国実用新案第２９５０１９２９．８号明細書に記載されている。
【０００３】
フロアスプリングの形成における一般的な要求は、ケーシングはなるべくフラットに形成されているべきであるという点にある。この要求を満たすためには、２つのばねを備えたフロアスプリングが用いられる。しかしこのことはやはり、ドア等を支承する軸のために、フロアスプリングにおいて比較的大きな孔をケーシングカバーに設けねばならなくする。これにより、ケーシングカバーの剛性は完全体よりも低下し且つケーシングカバーの変形によりフロアスプリングの作動時に問題を生ぜしめる恐れがある。
【０００４】
従って本発明の課題は、フラットな構成にもかかわらず問題のない作動を保証するフロアスプリングを提供することである。
【０００５】
この課題は、冒頭で述べた形式のフロアスプリングにおいて、ケーシングカバーが少なくとも１つの縁部域に補強ショルダを有していることによって解決される。
【０００６】
本発明による補強ショルダによって、ケーシングカバーが比較的フラットな構成でも変形されないので、ドア等の問題のない作動が常時可能であるということが保証される。
【０００７】
本発明によるフロアスプリングの別の構成は従属請求項に記載されている。
【０００８】
特に、有利な構成において１補強ショルダが端面に設けられており、別の補強ショルダが横方向側面に１つずつ設けられていると、特に変形の少ないケーシングカバーの構成が得られる。
【０００９】
以下に、本発明の実施例を図面につき詳しく説明する。
【００１０】
図面にはフロアスプリング全体の内、ここで関心のあるケーシングカバー１だけが示されている。
【００１１】
図３には、本発明によるケーシングカバー１ａを下から見た図が示されている。同じケーシングカバー１ａを上から見た図が図５に、図３の矢印Ｘの方向から見た図が図４に示されている。
【００１２】
ケーシングカバー１ａには従来の形式でねじ穴ａ′〜ｅ′が設けられており、これらのねじ穴にはケーシングカバー１ａをフロアスプリングのケーシング（図示せず）に結合するためのねじが挿入可能である。
【００１３】
図面から判るように、ケーシングカバー１ａの下面から突出した補強ショルダ２，３が設けられている。
【００１４】
これらの補強ショルダ２，３の内の一方、つまり補強ショルダ２はケーシングカバー１ａの一方の端面と整合するように形成されており且つケーシングカバー１ａの長手方向中心軸線Ｌに対して真ん中に延在している。補強ショルダ２は直線的な延在部を有しており且つ長手方向中心軸線Ｌに対してほぼ直角に延びている。
【００１５】
他方の２つの補強ショルダ３は、それぞれケーシングカバー１ａの横方向側面に設けられている。これらの補強ショルダ３は、ケーシングカバー１ａの横方向中心軸線Ｑと交差しており且つ補強ショルダ２のように直線的に延びているのではなく、屈曲部が設けられている。
【００１６】
図示の屈曲部の代わりに、補強ショルダ３は例えば湾曲されて形成されていてもよい。
【００１７】
ケーシングカバー１ａの横方向側面に設けられた補強ショルダ３は突出部４に形成されている。これらの突出部４はケーシングカバー１ａの平面内で横方向中心軸線Ｑの方向で外向きに延びている。この場合、補強ショルダ３も突出部の外縁部と整合して延びている。
【００１８】
補強ショルダはケーシングカバー１ａの任意の位置に配置されていてよいと理解される。この場合の配置形式は軸線Ｑ及び／又はＬに対して対称的又は非対称的に構成されてよい。同様に、形状も特定の１形状に縛られない。
【図面の簡単な説明】
【００１９】
【図１】従来技術によるケーシングカバーを上から見た図である。
【図２】図１に示したケーシングカバーを下から見た図である。
【図３】本発明によるケーシングカバーを下から見た図である。
【図４】本発明によるケーシングカバーを、図３の矢印Ｘの方向で見た図である。
【図５】本発明によるケーシングカバーを上から見た図である。
【図１】
2007503536.tif 000003
【図２】
2007503536.tif 000004
【図３】
2007503536.tif 000005
【図４】
2007503536.tif 000006
【図５】
2007503536.tif 000007
【国際調査報告】
2007503536.tif 000008
2007503536.tif 000009
2007503536.tif 000010
2007503536.tif 000011